(57)【要約】  【課題】  原稿束からの挟持具の取り外しや再装着を容易にするとともに、取り外された挟持具の紛失等のおそれもない挟持具着脱装置及びそれを備えた画像形成装置を提供する。  【解決手段】  挟持具着脱装置９は、挟持具保持手段１１及び挟持具装着手段１２を備えている。挟持具保持手段１１で取り外された挟持具１０は、連通路２３を通って挟持具装着手段１２内の第２保持部２２に移動する。次いで、押圧部材１９及びソレノイド２０から成る押圧手段２１が挟持具１０を矢印Ａ方向に押圧すると、図示しないガイド部材により挟持具１０の先端部が離反して開放され、原稿束１７の端部に外装された後、再び先端部が閉じることにより原稿束１７を挟持する。【選択図】      図５
2006030278.tif 000002
【特許請求の範囲】
【請求項１】
一対の挟持部と該挟持部を連結する連結部とが一体成形され、前記挟持部の付勢力により原稿束を挟持する挟持具の着脱に用いられる挟持具着脱装置において、
前記挟持具から原稿束を引き抜いて取り外す際に前記挟持具を保持する挟持具保持手段と、前記挟持部の先端を付勢力に抗して開口させて前記挟持具を原稿束に装着する挟持具装着手段とが設けられたことを特徴とする挟持具着脱装置。
【請求項２】
前記挟持具保持手段は、原稿束に装着された前記挟持具を保持する第１保持部と、該第１保持部に保持された前記挟持具から原稿束を引き抜くための原稿抜き穴と、前記挟持具が装着された原稿束を前記第１保持部に誘導する誘導穴と、から構成され、前記挟持具装着手段は、原稿束の端部を挿入する原稿挿入口と、前記挟持部の開口方向が原稿束の挿入方向となるように前記挟持具を保持する第２保持部と、該第２保持部に保持された前記挟持具を押圧して原稿束の端部に外装する押圧手段と、該押圧手段による押圧に伴い前記挟持部の先端を開口させるガイド部材と、から構成されることを特徴とする請求項１に記載の挟持具着脱装置。
【請求項３】
前記第１保持部と前記第２保持部とを連通する連通路が設けられており、前記第１保持部において原稿束から取り外された前記挟持具は、前記連通路を通って前記第２保持部に移動することを特徴とする請求項２に記載の挟持具着脱装置。
【請求項４】
請求項１〜請求項３のいずれかに記載の挟持具着脱装置を備えた画像形成装置。
【発明の詳細な説明】
【技術分野】
【０００１】
本発明は、複数の原稿が挟持具で仮綴じされている場合における、挟持具の着脱に用いられる挟持具着脱装置及びそれを備えた画像形成装置に関する。
【背景技術】
【０００２】
従来の画像形成装置の構成を図８に示す。図８（ａ）、図８（ｂ）はそれぞれ画像形成装置の正面斜視図及び背面斜視図であり、ここでは一例として胴内排紙型の複写機について示している。図８（ａ）において、画像形成装置１の本体中央部には転写紙上に画像を形成する画像形成部２が設けられている。画像形成部２の上方には胴内排紙空間３が設けられ、胴内排紙空間３の底面には画像が形成された転写紙を排紙経路（図示せず）を通じて積載可能な胴内排紙トレイ４が設けられている。
【０００３】
胴内排紙空間３の上方には画像読取部５が配置され、画像読取部５の上部に設けられた原稿台（図示せず）上に載置された原稿或いは後述する原稿搬送部より搬送される原稿を読み取る。画像読取部５の上方には、セットされた複数の原稿を順次自動的に搬送する原稿搬送部６が設けられている。また、図８（ｂ）に示すように、原稿搬送部６は、画像読取部５に対しヒンジ部７を介して回動自在に保持されており、ヒンジ部７は画像読取部５に固定されている。８は画像形成装置１に着脱自在に取り付けられ、用紙を収納する給紙カセットである。
【０００４】
このような画像形成装置を使用する場合、原稿がクリップ等の挟持具により複数枚仮綴じされていると、原稿搬送部による自動搬送は不可能であり、また、原稿台上に原稿を載置する場合においても原稿を原稿台に密着させるのが困難となり、原稿押さえにより無理に密着させると原稿台上での位置ずれが発生したり、挟持具付近で原稿が折れ曲がって原稿を傷めたりするおそれがある。そのため、仮綴じされた原稿束から挟持具を取り外しておく必要があり、また、画像形成終了後は再び挟持具を装着して原稿を仮綴じする必要があった。
【０００５】
このとき、原稿枚数が多いと挟持力の強い挟持具で仮綴じされているため、ユーザが挟持具を手で取り外す際や再度装着する際にかなりの力を必要とし、手指を傷めるおそれもある。また、取り外された挟持具を不用意に原稿台に放置すると、挟持具を紛失したり、誤って原稿押さえを閉じた場合に原稿台或いは原稿押さえを傷つけたりするおそれもある。従来、画像形成装置に挟持具の置き場所を設けて対応しているが、挟持具を手で取り外すという煩雑さは解消されず、またユーザが挟持具の置き場所に気付かない場合もあるため十分な対策とはいえなかった。
【０００６】
そこで、画像形成後の原稿の取り扱いを容易にする方法が提案されており、例えば特許文献１には、回収された原稿束を整合する整合手段と、整合された原稿束の端部に挟持具を装着する仮綴じ手段とを設け、原稿を傷つけることなく容易に回収できる画像形成装置が開示されている。
【０００７】
しかしながら、特許文献１の方法では、回収された原稿束への挟持具の再装着は容易となるものの、画像形成前に仮綴じされた原稿束から挟持具を取り外す際の煩雑性は解消されていない。また、取り外された挟持具の紛失や、挟持具による原稿台或いは原稿押さえの損傷という問題点についても考慮されたものではなかった。
【０００８】
【特許文献１】特開２００３−１１８９２９号公報
【発明の開示】
【発明が解決しようとする課題】
【０００９】
本発明は、上記問題点に鑑み、原稿束からの挟持具の取り外しや再装着を容易にするとともに、取り外された挟持具の紛失等のおそれもない挟持具着脱装置及びそれを備えた画像形成装置を提供することを目的とする。
【課題を解決するための手段】
【００１０】
上記目的を達成するために本発明は、一対の挟持部と該挟持部を連結する連結部とが一体成形され、前記挟持部の付勢力により原稿束を挟持する挟持具の着脱に用いられる挟持具着脱装置において、前記挟持具から原稿束を引き抜いて取り外す際に前記挟持具を保持する挟持具保持手段と、前記挟持部の先端を付勢力に抗して開口させて前記挟持具を原稿束に装着する挟持具装着手段とが設けられたことを特徴としている。
【００１１】
また本発明は、上記構成の挟持具着脱装置において、前記挟持具保持手段は、原稿束に装着された前記挟持具を保持する第１保持部と、該第１保持部に保持された前記挟持具から原稿束を引き抜くための原稿抜き穴と、前記挟持具が装着された原稿束を前記第１保持部に誘導する誘導穴と、から構成され、前記挟持具装着手段は、原稿束の端部を挿入する原稿挿入口と、前記挟持部の開口方向が原稿束の挿入方向となるように前記挟持具を保持する第２保持部と、該第２保持部に保持された前記挟持具を押圧して原稿束の端部に外装する押圧手段と、該押圧手段による押圧に伴い前記挟持部の先端を開口させるガイド部材と、から構成されることを特徴としている。
【００１２】
また本発明は、上記構成の挟持具着脱装置において、前記第１保持部と前記第２保持部とを連通する連通路が設けられており、前記第１保持部において原稿束から取り外された前記挟持具は、前記連通路を通って前記第２保持部に移動することを特徴としている。
【００１３】
また本発明は、上記構成の挟持具着脱装置を備えた画像形成装置であることを特徴としている。
【発明の効果】
【００１４】
本発明の第１の構成によれば、一対の挟持部及び該挟持部を連結する連結部から成る挟持具により仮綴じされた原稿束から挟持具を手で取り外し、再度手で装着するという煩雑さを解消するとともに、原稿を傷つけることなく迅速な挟持具の着脱が可能となる。
【００１５】
また、本発明の第２の構成によれば、上記第１の構成の挟持具着脱装置において、挟持具保持手段を、原稿束に装着された挟持具を保持する第１保持部と、該第１保持部に保持された挟持具から原稿束を引き抜くための原稿抜き穴と、挟持具が装着された原稿束を第１保持部に誘導する誘導穴とで構成し、挟持具装着手段を、原稿束の端部を挿入する原稿挿入口と、挟持部の開口方向が原稿束の挿入方向となるように挟持具を保持する第２保持部と、該第２保持部に保持された挟持具を押圧して原稿束の端部に外装する押圧手段と、該押圧手段による押圧に伴い挟持部の先端を開口させるガイド部材とで構成したことにより、原稿束からの挟持具の脱着を簡易な構成で可能とする。
【００１６】
また、本発明の第３の構成によれば、上記第２の構成の挟持具着脱装置において、第１保持部と第２保持部とを連通する連通路が設けられ、第１保持部において原稿束から取り外された挟持具は連通路を通って第２保持部に移動するため、取り外された挟持具の紛失や、挟持具による原稿台或いは原稿押さえの損傷のおそれもなくなる。
【００１７】
また、本発明の第４の構成によれば、上記第１乃至第３のいずれかの構成の挟持具着脱装置を画像形成装置に搭載することにより、仮綴じされた原稿束から挟持具を迅速且つ確実に取り外して画像形成処理を行い、さらに画像形成終了後は挟持具を手早く再装着して原稿を仮綴じすることができる。
【発明を実施するための最良の形態】
【００１８】
以下に本発明の実施形態を図面を参照して説明する。図１は、本発明の挟持具着脱装置を備えた画像形成装置の全体構成を示す概略図である。従来例の図８と共通する部分には同一の符号を付して説明を省略する。図１において、画像形成装置１の本体上部には画像読取部５が配置され、画像読取部５の上部、即ち画像形成装置１の本体上面には原稿を載置する原稿台としてのコンタクトガラス３０が設けられている。
【００１９】
コンタクトガラス３０の上方には、コンタクトガラス３０上に載置された原稿を押さえる原稿押さえ３１が設けられており、画像読取部５の奥側に設けられたヒンジ部７を介して画像形成装置１の本体上面に開閉可能に支持されている。また、原稿押さえ３１には複数の原稿を順次コンタクトガラス３０に搬送する原稿搬送部６が付設されている。そして、画像読取部５においてコンタクトガラス３０上に載置された原稿或いは原稿搬送部６より搬送される原稿を読み取り、読み取った原稿画像を図示しない画像形成部において転写紙上に出力する。３２はユーザが装置の機能や印刷条件等の設定を行う操作キーであり、３３は設定条件や装置の状態等を表示する表示部である。
【００２０】
本実施形態においては、画像形成装置１の本体側面に、挟持具により仮綴じされた原稿束から挟持具を着脱する挟持具着脱装置９が設けられている。挟持具着脱装置９は、予め画像形成装置１と一体に形成しておくこともできるが、画像形成装置１とは別体に作製し、用途及び目的に応じて適宜着脱可能に構成しても良い。
【００２１】
本発明の挟持具着脱装置により着脱される挟持具を図２に示す。図２（ａ）は挟持具の斜視図、図２（ｂ）は挟持具を図２（ａ）の矢印Ａ方向から見た平面図、図２（ｃ）は挟持具を図２（ａ）の矢印Ｂ方向から見た側面図である。挟持具１０は、一対の挟持部１０ａ、１０ｂ及び挟持部１０ａ、１０ｂを連結する連結部１０ｃから成り、原稿束が挟持されていない状態では挟持部１０ａ、１０ｂの先端は当接している。挟持部１０ａ、１０ｂの先端にはそれぞれ幅広部１０ｄが上下対称に設けられており、各幅広部１０ｄはその先端が離反するように傾斜している。
【００２２】
挟持部１０ａ、１０ｂ、連結部１０ｃ及び幅広部１０ｄは金属等により一体成形されており、挟持部１０ａ、１０ｂは図２（ｃ）の黒矢印方向に付勢されている。この挟持具１０により原稿束を仮綴じする場合は、挟持部１０ａ、１０ｂを付勢力に抗して押し広げた状態で原稿束を挟持部１０ａ、１０ｂの間に挿入した後、押し広げていた力を開放することにより、挟持部１０ａ、１０ｂの付勢力で原稿束を挟持する。また、仮綴じされた原稿束から挟持具１０を取り外す場合は、挟持部１０ａ、１０ｂの付勢力に抗して原稿束を引き抜く。
【００２３】
次に、本発明の第１実施形態に係る挟持具着脱装置の構成を図３に示す。図３（ａ）は挟持具着脱装置の正面図、図３（ｂ）は。図３（ａ）の矢印Ａ方向から見た側面図である。図３（ａ）において、挟持具着脱装置９は、上側に挟持具保持手段１１、下側に挟持具装着手段１２を備えており、正面には挟持具保持手段１１に保持された挟持具１０（図２参照）から原稿束を引き抜くための原稿抜き穴１３と、挟持具装着手段１２により挟持具１０を装着する際に原稿束の端部を挿入する原稿挿入口１４とが設けられている。
【００２４】
原稿挿入口１４の中央部には、挟持具１０が装着された状態で再び原稿挿入口１４から原稿束を取り出せるように挟持具１０が通過可能な拡張部１５が形成されている。また、挟持具１０は拡張部１５の位置で原稿束に装着されるため、ユーザは仮綴じしたい場所を拡張部１５に合わせて原稿束を原稿挿入口１４から挿入することにより、原稿束の所望の位置に挟持具１０を装着することができる。即ち、拡張部１５は挟持具１０の装着箇所を決める目印としての役割も果たしている。
【００２５】
図３（ｂ）に示すように、原稿抜き穴１３及び原稿挿入口１４は挟持具着脱装置９の側面まで連通して設けられており、原稿抜き穴１３の後端部には、挟持具が装着された原稿束を挟持具保持手段１１内に誘導する誘導穴１６が設けられている。誘導穴１６は、挟持具１０の断面形状に合わせて三角形状に形成されている。原稿抜き穴１３及び原稿挿入口１４の開口幅ｈ１、ｈ２は、挟持具１０の装着が可能な最大の原稿束の厚さに対応するように設計されている。
【００２６】
次に、挟持具保持手段１１について説明する。図４（ａ）は、仮綴じされた原稿束を挟持具保持手段１１に挿入した状態を示す拡大側面図であり、図４（ｂ）は図４（ａ）の矢印Ｂ方向から見た矢視図である。先ず、原稿束１７の挟持具１０で仮綴じされている端部を誘導穴１６に合わせ、原稿束１７が原稿抜き穴１３から突出するように挿入し、挟持具保持手段１１内部（図３の矢印Ａ方向）にスライドさせていくと、図４（ｂ）に示すように、挟持具１０は誘導穴１６を延長して設けられた第１保持部１８に保持される。
【００２７】
第１保持部１８は誘導穴１６と同様に、挟持具１０の断面形状に合わせて断面が逆テーパ状に形成されている。この状態で原稿束１７を矢印Ｃ方向に引っ張ると、挟持具１０の連結部１０ｃが第１保持部１８の内面に引っ掛かるため、原稿束１７は挟持部１０ａ、１０ｂの付勢力に抗して原稿抜き穴１３から引き抜かれ、挟持具１０が取り外される。
【００２８】
次に、挟持具装着手段１２について説明する。図５は、挟持具装着手段１２の構造を示す側面断面図である。挟持具装着手段１２内には挟持具１０を押圧する押圧部材１９と、押圧部材１９を矢印ＡＡ′方向に往復移動させるソレノイド２０とから構成される押圧手段２１が設けられている。２３は挟持具保持手段１１と挟持具装着手段１２とを連通する連通路であり、挟持具保持手段１１の第１保持部１８（図４参照）で原稿束１７（図４参照）が引き抜かれた挟持具１０は、連通路２３を通って挟持具装着手段１２内に移動し、押圧部材１９の上面に当接して支持される。
【００２９】
そして、押圧部材１９が矢印Ａ′方向に移動することにより、挟持具１０は第２保持部２２内に移動し、挟持部１０ａ、１０ｂ（図２参照）を原稿挿入口１４方向に向けて保持される。次いで、押圧部材１９が矢印Ａ方向に移動すると、挟持具１０も押圧部材１９に押圧されて矢印Ａ方向に移動するとともに、図示しないガイド部材により挟持部１０ａ、１０ｂが離反して先端部が開放され、原稿束１７の端部に外装された後、再び先端部が閉じることにより原稿束１７を挟持する。
【００３０】
なお、押圧手段２１による挟持具１０の装着は、原稿挿入口１４から原稿束１７を挿入した後、ユーザの操作により行うこととしてもよいが、原稿挿入口１４付近に原稿束１７の挿入を検知するセンサを設置しておき、原稿束１７の挿入と同時に自動的に挟持具１０の装着を行う構成とすることもできる。
【００３１】
これにより、ユーザは手指や原稿を傷めることなく挟持具を円滑且つ確実に着脱することができる。また、取り外された挟持具を紛失したり、原稿台上に放置して原稿台或いは原稿押さえを傷つけたりするおそれもなくなる。さらに、連通路２３の長さを挟持具１０の複数個分以上に設計しておくことにより、図５のように、挟持具保持手段１１で取り外された挟持具１０は連通路２３内に貯留されるため、挟持具１０を原稿束から連続して取り外すことができる。
【００３２】
なお、連通路２３を設けずに、挟持具保持手段１１で取り外された挟持具１０を貯留する貯留部と、挟持具装着手段１２で装着される挟持具１０をストックしておくストック部とを別個に設ける構成とすることもできる。しかし、連通路２３を設ける本実施形態の構成とすることにより、挟持具保持手段１１で取り外された挟持具１０を挟持具装着手段１２で再装着でき、挟持具１０の回収や補充の必要がないためより好ましい。
【００３３】
挟持具装着手段１２による挟持具１０の装着方法を更に詳細に説明する。図６（ａ）は図５における第２保持部２２周辺の拡大図であり、図６（ｂ）は図６（ａ）を矢印Ｂ方向から見た平面図である。連通路２３（図５参照）を通って挟持具装着手段１２内の第２保持部２２に移動した挟持具１０は、押圧部材１９により幅広部１０ｄの幅に合わせて形成された第２保持部２２の内面に沿って摺動する。第２保持部２２の左右両側には断面くさび型のガイド部材２４が設けられており、くさび型の先端が挟持部１０ａ、１０ｂの先端に設けられた２箇所の幅広部１０ｄの間に位置するように固定されている。
【００３４】
原稿挿入口１４（図５参照）より挿入された原稿束１７に挟持具１０を装着する場合、図６（ｃ）のように押圧部材１９が矢印Ａ方向に移動し、挟持具１０を原稿束１７方向に摺動させる。このとき、挟持部１０ａ、１０ｂに設けられた幅広部１０ｄが、それぞれ左右のガイド部材２４に乗り上げることにより、挟持部１０ａ、１０ｂは付勢力に抗して上下に開いていく。そして、挟持具１０は挟持部１０ａ、１０ｂで原稿束１７の端部を上下から挟み込むように矢印Ａ方向に移動する。
【００３５】
さらに押圧部材１９が矢印Ａ方向に移動していくと、図６（ｄ）のように幅広部１０ｄがガイド部材２４から外れ、挟持部１０ａ、１０ｂは付勢力により原稿束１７を挟み込んだ状態で再び閉じられる。その後、原稿束１７を矢印Ａ方向に引っ張ることにより、原稿束１７の仮綴じされた端部が原稿挿入口１４及び拡張部１５（図５参照）を通過して挟持具装着手段１２から取り出され、原稿束１７への挟持具１０の装着が終了する。
【００３６】
次に、本発明の第２実施形態の挟持具着脱装置の構成を図７に示す。図７（ａ）は挟持具着脱装置の正面図、図７（ｂ）は挟持具着脱装置の側面図である。本実施形態においては、２箇所の原稿抜き穴１３及び大きさの異なる誘導穴１６と、２箇所の原稿挿入口１４とが設けられている。即ち、挟持具保持手段１１及び挟持具装着手段１２はサイズの異なる２種類の挟持具１０に対応可能となっている。
【００３７】
また、それぞれの連通路２３の位置が重ならないように、第１保持部１８（図４参照）、第２保持部２２及び押圧手段２１（いずれも図５参照）は挟持具着脱装置９内の幅方向に異なる位置に設けられており、拡張部１５もそれに合わせて幅方向にずらして形成されている。その他の構成は第１実施形態と同様であるため説明を省略する。これにより、原稿束がサイズの異なる挟持具１０で仮綴じされている場合でも挟持具１０の着脱が可能となる。なお、ここでは挟持具保持手段１１及び挟持具装着手段１２を２種類の挟持具１０に対応可能としているが、３種類以上の挟持具１０に対応させることもできる。
【００３８】
その他本発明は上記の実施形態に限定されず、本発明の趣旨を逸脱しない範囲で種々の変更が可能であり、例えば拡張部１５は、原稿挿入口１４の開口幅ｈ２（図３参照）によっては必ずしも必要とされるものではない。また、上記実施形態では、押圧部材１９の駆動源としてソレノイド２０を用いているが、ソレノイドに代えてモータ及びギヤの組み合わせ等、従来公知の他の駆動手段を用いてもよく、押圧部材１９を手動で移動させる構成としてもよい。また、挟持具着脱装置９は画像形成装置１の側面に搭載しているが、他の位置に搭載してもよく、スキャナやファクシミリ等の他の画像形成装置に搭載することも可能である。
【産業上の利用可能性】
【００３９】
本発明は、一対の挟持部と該挟持部を連結する連結部とが一体成形され、挟持部の付勢力により原稿束を挟持する挟持具の着脱に用いられる挟持具着脱装置において、挟持具から原稿束を引き抜いて取り外す際に挟持具を保持する挟持具保持手段と、挟持部の先端を付勢力に抗して開口させて挟持具を原稿束に装着する挟持具装着手段とが設けられたこととする。
【００４０】
これにより、ユーザは挟持具により仮綴じされた原稿束から挟持具を手で取り外し、再度手で装着する必要がなく、挟持具の着脱の煩雑さを解消するとともに、手指や原稿を傷つけるおそれもなくなる。
【００４１】
また、挟持具保持手段を、原稿束に装着された挟持具を保持する第１保持部と、該第１保持部に保持された挟持具から原稿束を引き抜くための原稿抜き穴と、挟持具が装着された原稿束を第１保持部に誘導する誘導穴とで構成し、挟持具装着手段を、原稿束の端部を挿入する原稿挿入口と、挟持部の開口方向が原稿束の挿入方向となるように挟持具を保持する第２保持部と、該第２保持部に保持された挟持具を押圧して原稿束の端部に外装する押圧手段と、該押圧手段による押圧に伴い挟持部の先端を開口させるガイド部材とで構成したので、挟持具着脱装置の構成が簡単なものとなり、挟持具着脱装置の低コスト化に貢献する。
【００４２】
また、第１保持部で原稿束から取り外された挟持具を第２保持部に移動する連通路を設けたので、挟持具脱離手段で取り外された挟持具の回収や、挟持具装着手段への挟持具の補充を必要とせず、挟持具の紛失や、挟持具による原稿台或いは原稿押さえの損傷のおそれもなくなる。
【００４３】
また、本発明の挟持具着脱装置を画像形成装置に搭載することにより、ユーザは原稿を傷めることなく仮綴じされた原稿束から容易に挟持具を取り外した後、原稿を原稿搬送部又は原稿台に載置して読み取り操作を行い、さらに原稿読み取り終了後は原稿束に挟持具を手早く再装着して仮綴じすることができる。
【図面の簡単な説明】
【００４４】
【図１】は、本発明の挟持具着脱装置が搭載された画像形成装置の全体構成を示す概略斜視図である。
【図２】は、本発明の挟持具着脱装置により着脱される挟持具を示す図である。
【図３】は、本発明の第１実施形態に係る挟持具着脱装置の構成を示す正面図及び側面図である。
【図４】は、挟持具保持手段の構造を示す側面断面図及び矢視図である。
【図５】は、挟持具装着手段の構造を示す側面断面図である。
【図６】は、挟持具装着手段による挟持具の装着方法を示す図である。
【図７】は、本発明の第２実施形態に係る挟持具着脱装置の構成を示す正面図及び側面図である。
【図８】は、従来の画像形成装置の全体構成を示す斜視図である。
【符号の説明】
【００４５】
１                画像形成装置
９                挟持具着脱装置
１０              挟持具
１０ａ、１０ｂ    挟持部
１０ｃ            連結部
１１              挟持具保持手段
１２              挟持具装着手段
１３              原稿抜き穴
１４              原稿挿入口
１５              拡張部
１６              誘導穴
１７              原稿束
１８              第１保持部
１９              押圧部材
２０              ソレノイド
２１              押圧手段
２２              第２保持部
２３              連通路
２４              ガイド部材
【図１】
2006030278.tif 000003
【図２】
2006030278.tif 000004
【図３】
2006030278.tif 000005
【図４】
2006030278.tif 000006
【図５】
2006030278.tif 000007
【図６】
2006030278.tif 000008
【図７】
2006030278.tif 000009
【図８】
2006030278.tif 000010